(57)【要約】【課題】シリンダ錠を取り外した状態で、閉塞状態にロックされたパネルのロックを容易に解除できるようにする。【解決手段】作動体４３の屈曲部分であって取付孔５９の後方位置に、右方へ突出して操作体９１を一体に形成し、シリンダ錠を取り外した状態の取付孔５９から挿入されるドライバ等の一般工具Ｋにより、この操作体９１を押し上げ操作することで、コイルバネの付勢力により下動状態にあった作動体４３を、コイルバネに抗して上動し、係止体を回転させて先端の鉤状部分を筐体側の被係止体から外してロックを解除し、係止体を係止解除状態にして前面パネルを開放可能な状態にする。【選択図】　　　　図４
2004121512.tif 000002
【特許請求の範囲】
【請求項１】
遊技機筐体の前面を開閉自在に閉塞するパネルを開閉するためのパネル開閉装置であって、前記筐体の前面に設けられた被係止体と、前記パネルに形成された取付孔に着脱自在に取り付けられたシリンダ錠と、前記パネルに設けられ前記被係止体に係止して前記パネルを閉塞状態にロックすると共に、前記シリンダ錠に差し込まれたキーの回転に連動して係止解除状態に変位する係止体とを備えて成る遊技機のパネル開閉装置において、
前記シリンダ錠を取り外した状態の前記取付孔を介して、外部から前記係止体を係止解除状態に変位操作するための操作体を備えていることを特徴とする遊技機のパネル開閉装置。
【請求項２】
前記シリンダ錠に差し込まれたキーの回転に連動して回転する回転体と、前記係止体を係止状態に付勢する付勢手段と、前記回転体の回転により前記係止体を前記付勢手段に抗して係止解除状態に変位させる作動体とを備え、
前記操作体が、前記作動体の前記取付孔の後側であって、前記シリンダ錠を取り外した状態の前記取付孔から挿入される工具により操作される位置に形成されている
ことを特徴とする請求項１に記載の遊技機のパネル開閉装置。
【発明の詳細な説明】
【０００１】
【発明の属する技術分野】
この発明は、遊技機筐体の前面を開閉自在に閉塞するパネルを開閉するための遊技機のパネル開閉装置に関する。
【０００２】
【従来の技術】
一般に、スロットマシンやパチンコ機等の遊技機では、前面が開口した箱状の筐体に、その前面全体を覆う大きさのパネルの一側がヒンジにより回転自在に支持され、このパネルにより筐体の前面が閉塞され、シリンダ錠を備えたロック機能を有する開閉装置により開閉可能にロックされるようになっている。
【０００３】
この開閉装置の構成について簡単に説明すると、筐体の前面に設けられた被係止体と、パネルに形成された取付孔に着脱自在に取り付けられたシリンダ錠と、パネルに設けられ筐体側の被係止体に係止してパネルを閉塞状態にロックすると共に、シリンダ錠に差し込まれたキーの回転に連動して係止解除状態に変位する係止体とを備えている。
【０００４】
この種のパネルを備えた遊技機の具体例として、例えば特許文献１に記載のようなスロットマシンがある。
【０００５】
【特許文献１】
特開平６−２５４２１２号公報（第２頁、図４−６）
【０００６】
【発明が解決しようとする課題】
ところで、この種のパネルでは、開閉装置のシリンダ錠に不具合が発生すると、シリンダ錠をパネルから取り外して新しいものに交換することが行われる。このとき、パネルの表側には、ゲームの各種操作スイッチ類を始め、メダル払出数を表示する表示部等の表示部やメダル投入口、メダル受け皿等が配設され、裏側には、パネルを内側から照明する蛍光灯や、３つの回転リールの図柄が表示される図柄表示部に投入メダル数に応じた有効ラインを表示するためのＬＥＤ等が配設されているため、パネル自体の重量が非常に重くなっている。
【０００７】
その結果、シリンダ錠を取り外すためにパネルを開放すると、パネルの重量によってパネルが勝手に閉まることがあり、そのときすでにシリンダ錠を取り外している場合には、パネルが勝手に閉まることによりロックがかかってしまい、ロックを解除するには、シリンダ錠を取り外した取付孔から特殊な工具をパネルの内側に挿入して係止体を係止解除状態に変位させなければならず、小さい取付孔に工具を挿入しての作業は非常に煩雑であり、容易にロックを解除することができないという問題点があった。
【０００８】
そこで、本発明は、シリンダ錠を取り外した状態で、閉塞状態にロックされたパネルのロックを容易に解除できるようにすることを目的とする。
【０００９】
【課題を解決するための手段】
上記した目的を達成するために、本発明は、遊技機筐体の前面を開閉自在に閉塞するパネルを開閉するためのパネル開閉装置であって、前記筐体の前面に設けられた被係止体と、前記パネルに形成された取付孔に着脱自在に取り付けられたシリンダ錠と、前記パネルに設けられ前記被係止体に係止して前記パネルを閉塞状態にロックすると共に、前記シリンダ錠に差し込まれたキーの回転に連動して係止解除状態に変位する係止体とを備えて成る遊技機のパネル開閉装置において、前記シリンダ錠を取り外した状態の前記取付孔を介して、外部から前記係止体を係止解除状態に変位操作するための操作体を備えていることを特徴としている。
【００１０】
このような構成によれば、シリンダ錠を取り外した状態の取付孔を介して、外部から操作体を操作することで、係止体を係止解除状態に変位させることができるため、シリンダ錠を取り外した状態で、閉塞状態にロックされたパネルのロックを容易に解除することができる。
【００１１】
また、本発明は、前記シリンダ錠に差し込まれたキーの回転に連動して回転する回転体と、前記係止体を係止状態に付勢する付勢手段と、前記回転体の回転により前記係止体を前記付勢手段に抗して係止解除状態に変位させる作動体とを備え、前記操作体が、前記作動体の前記取付孔の後側であって、前記シリンダ錠を取り外した状態の前記取付孔から挿入される工具により操作される位置に形成されていることを特徴としている。
【００１２】
このような構成によれば、作動体の前記取付孔の後側であって、取付孔から挿入される工具により操作される位置に操作体が形成されているため、シリンダ錠を取り外した状態の取付孔から工具を挿入することで、操作体を容易に操作して係止体を係止解除状態に変位させることができ、ロック解除を簡単に行うことができる。
【００１３】
【発明の実施の形態】
この発明を遊技機であるスロットマシンに適用した場合における一実施形態について図１ないし図５を参照して説明する。但し、図１及び図２はスロットマシンの正面図及び側面図、図３は一部の分解斜視図、図４は図３の組立状態における一部の斜視図、図５は動作説明図である。
【００１４】
本実施形態におけるスロットマシンは、例えば図１及び図２に示すように構成されている。即ち、図１及び図２に示すように、スロットマシン１では、筐体３の前面開口が前面パネル５により開閉自在に閉塞され、この前面パネル５のほぼ中央高さの位置に操作板７が配設されると共に、この操作板７の上方に正面板９が配設されている。このとき、前面パネル５の左端部がヒンジにより筐体３に回転自在に支持されて、筐体３の前面全体が前面パネル５により覆われて閉塞される。
【００１５】
そして、この正面板９には３個のリール窓１１が並設され、各リール窓１１の内側には左、中、右の各回転リールが配置され、右端のリール窓１１の横には、ゲームの演出用画面を表示する液晶ディスプレイ１３が配設されており、各リール窓１１からは、各リールの図柄が各々３個ずつ見えるように設定されている。
【００１６】
更に、この操作板７には、クレジットされているメダルの枚数を減じてメダル投入に代えるためのベットスイッチ１５、各リールの回転を開始させるためのスタートレバー１７、第１ないし第３ストップスイッチ１９，２１，２３、及び、メダル投入口２５や貯留メダルを払い出すための精算スイッチ２７が設けられている。また、正面板９には入賞ラインが描かれると共に、入賞ライン中の有効ラインを表示する有効表示ランプ３１、ボーナスゲームの状態などを表示する種々の演出表示ランプ３３、クレジットメダルの枚数を表示するメダル枚数表示器３５が正面板９に配設され、操作板７の下方にはメダル払出口３７やメダル受け３９が設けられている。
【００１７】
ところで、前面パネル５は、図２に示すように、自重により閉塞方向に回転し易いように傾斜して筐体３に支持され、しかも、作業者に対して前面パネル５の閉塞をより確実に行わせるために、ほぼ閉塞した状態の前面パネル５が筐体３の前面開口よりも少し下方にずれるように、前面パネル５が筐体３に支持されている。その結果、後述するシリンダ錠を取り外すために前面パネル５を開放したときに、パネルの重量によってパネルが勝手に閉まってロックしてしまうことがあり、そのときすでにシリンダ錠を取り外していると、容易に前面パネル５のロックを解除することができない。
【００１８】
そこで本実施形態では、前面パネル５を閉塞状態にロックすると共に、ロック解除により前面パネル５を開放可能にする開閉装置を、図３及び図４に示すように構成している。
【００１９】
即ち、この開閉装置は、図３，４に示すように、ガイド体４１、作動体４３、移動体４５、シリンダ錠４７、コイルバネ４９、一対の係止体５１及び一対の被係止体（図示省略）により構成されている。このガイド体４１は断面コ字状を有し、前面パネル５の右端後側に取り付けられ、ガイド体４１の左側面の上下部には後方に延出したほぼＬ字状の延出片５５が一対形成されている。また、ガイド体４１の前面中央やや下寄りの位置には左方に台形状に突出した突出体５７が一体に形成されており、この突出体５７の左端部は後方に向けて折曲されている。
【００２０】
更に、突出片５７付近のガイド体４１の前面にはシリンダ錠４７を取り付けるための円形の取付孔５９が形成され、この取付孔５９にシリンダ錠４７が位置合わせされ、ガイド体４１の後面側からほぼ菱形状の当て板６１が当てがわれてねじが螺合され、これによりシリンダ錠４７がガイド体４１の前面側に取り付けられて固定される。
【００２１】
このとき、シリンダ錠４７にキー６３を差し込んで回転すると、シリンダ錠４７の回転軸が回転し、これによりガイド体４１の後面側においてシリンダ錠４７の回転軸にねじ等により固着される回転体としてのカム６５が回転するようになっている。
【００２２】
ところで、両係止体５１のほぼ中央部が、ガイド体４１の両延出片５５に回転自在に取り付けられると共に、両係止体５１の前端に作動体４３の上下端がそれぞれ回転自在に取り付けられ、作動体４３が上下動することにより、両係止体５１が両延出片５５それぞれとの取付点を中心に回転、つまり変位するようになっている。
【００２３】
尚、両係止体５１の後端部は鉤状を成しており、このように係止体５１が回転しない状態では、筐体３の前面右側上下に設けられた一対の被係止体（図示せず）に両係止体５１の鉤状部分が係止して前面パネル５をロック状態に保持している。一方、上記したように係止体５１が回転すると、両係止体５１の鉤状部分の両被係止体との係止状態が解除されるため、前面パネル５のロックが解除されて前面パネル５が開放可能になる。
【００２４】
ところで、ガイド体４１の前面には、後方の突出した一対の規制部６７が形成され、これら両規制部６７により作動体４３の動きが規制され、両規制部６７とガイド体４１の左側面との間を作動体４３が上下動するようになっている。
【００２５】
ここで、作動体４３の中央やや下寄りの部分は、ガイド体４１の突出片５７に沿うような形状に屈曲され、この作動体４３の屈曲部分に矩形の透孔６９が形成されている。
【００２６】
また、作動体４３とガイド体４１の左側面との間には、移動体４５が介挿されており、この移動体４５は、作動体４３の中央から屈曲部分に沿った形状を有し、移動体４５の上端にはフック７１が一体形成され、作動体４３のほぼ中央に形成された透孔７３から移動体４５のフック７１が作動体４３の右側に導出され、作動体４３の透孔７３の上方位置に形成されたフック７５、及び、移動体４５のフック７１に、付勢手段としてのコイルバネ４９の両端が係止されている。
【００２７】
更に、移動体４５の屈曲部分には２個の矩形の透孔７７，７９が透設されると共に、この屈曲部分の前側には左方への突片８１が一体に形成され、ガイド体４１の突出片５７の左側面に前後に透設された矩形の長孔８３，８５のうち前側の長孔８３を介して移動体４５の突片８１が挿通され、この突片８１が突出片５７の左側面の左方に導出されている。
【００２８】
そして、突出片５７の左側面の左側に支持体８７が固着され、この支持体８７の上面に支持されるフォトインタラプタ（図示せず）が、下動する突片８１により遮光されることによって、前面パネル５の閉塞状態を検出するようになっている。
【００２９】
ところで、移動体４５の上側の透孔７７及びガイド体４１の後側の長孔８５にはカム６５の上側の突起が挿入され、作動体４３の透孔６９及び移動体４５の下側の透孔７９並びにガイド体４１の後側の長孔８５にはカム６５の下側の突起が挿入される。
【００３０】
このとき、キー６３をシリンダ錠４７に差し込んで正面から見て時計回りに回転することにより、シリンダ錠４７の回転軸が正面から見て時計方向に回転し、透孔６９，７９、長孔８５に挿入されたカム６５の下側の突起が作動体４３を押し上げるようにカム６５が正面から見て時計方向に回転するため、作動体４３が上方に移動し、これにより両係止体５１が上記したように回転する。
【００３１】
その際、作動体４３の下端はガイド体４１の下側の延出片５５付近に形成された突起８９に当接し、これによって作動体４３の下方への移動が阻止されているため、コイルバネ４９の付勢力は作動体４３に対しては下向きに、移動体４５に対しては上向きに作用する。その結果、カム６５を正面から見て時計方向に回転したときに、コイルバネ４９に抗して作動体４３は上動し、カム６５を正面から見て反時計方向に回転したときには、コイルバネ４９に抗して移動体４５は下動する。
【００３２】
尚、キー６３の時計方向への回転を止めると、コイルバネ４９の付勢力によって、上動していた作動体４３は元の位置まで下動すると共に、シリンダ錠４７の回転軸及びキー６３も元の状態に回転して復帰する。また、キー６３の反時計方向への回転を止めると、コイルバネ４９の付勢力によって、下動していた移動体４５は元の位置まで上動すると共に、シリンダ錠４７の回転軸及びキー６３も元の状態に回転して復帰する。
【００３３】
ところで、作動体４３の屈曲部分であって取付孔５９の後方位置には、右方へ突出して操作体９１が一体に形成されており、シリンダ錠４７を取り外した状態の取付孔５９から挿入されるドライバ等の一般工具により、この操作体９１が押し上げ操作されるようになっている。
【００３４】
そのため、例えばシリンダ錠４７に不具合が発生して新しいものに交換する際に、前面パネル５を開放してシリンダ錠４７を前面パネル５から取り外したときに、前面パネル５が自重により勝手に閉まって両係止体５１が被係止体に係止してロックがかかっても、図４に示すように、シリンダ錠４７を取り外した状態の取付孔５９に一般工具Ｋを挿入して操作体９１を押し上げることで、図５（ａ）に示すようにコイルバネ４９の付勢力により下動状態にあった作動体４３が、同図（ｂ）に示すようにコイルバネ４９に抗して上動され、係止体５１が回転して先端の鉤状部分が筐体３側の被係止体から外れてロック解除され、係止体５１が係止解除状態となって前面パネル５を開放することが可能な状態となる。
【００３５】
従って、上記した実施形態によれば、シリンダ錠４７を取り外した状態の取付孔５９を介して外部からドライバ等の一般工具を挿入し、操作体９１を押し上げ操作することで、係止体５１を係止解除状態に回転（変位）させることができるため、シリンダ錠４７を取り外した状態で、閉塞状態にロックされた前面パネル５のロックを容易に解除することができる。
【００３６】
なお、本発明は上記した実施形態に限定されるものではなく、その趣旨を逸脱しない限りにおいて上述したもの以外に種々の変更を行うことが可能である。
【００３７】
例えば、上記した実施形態では、作動体４３の屈曲部分であって取付孔５９の後方位置に操作体９１を形成した場合について説明したが、要するにシリンダ錠４７を取り外した状態において、取付孔５９に外部から挿入したドライバ等の一般工具により操作できる位置であって、係止体５１を係止解除状態に変位させ得るように操作体を形成すればよい。
【００３８】
更に、シリンダ錠４７の回転軸の回転を係止体５１に伝達する機構は、上記したカム６５や作動体４３から成る構成に限定されるものではなく、その他の機構により係止体５１に伝達するようにしても構わない。
【００３９】
また、係止体５１も上記した例では一対設けているが１個であってもよい。更に、付勢手段も上記したコイルバネ４９に限るものではない。
【００４０】
また、上記した実施形態では本発明をスロットマシンに適用した例を説明したが、パチンコ機といった他の遊技機にも本発明を適用することができ、その場合にも上記した実施形態と同等の効果を得ることができる。
【００４１】
【発明の効果】
以上のように、請求項１に記載の発明によれば、シリンダ錠を取り外した状態の取付孔を介して、外部から操作体を操作することで、係止体を係止解除状態に変位させることができるため、シリンダ錠を取り外した状態で、閉塞状態にロックされたパネルのロックを容易に解除することが可能になる。
【００４２】
また、請求項２に記載の発明によれば、作動体の前記取付孔の後側であって、取付孔から挿入される工具により操作される位置に操作体が形成されているため、シリンダ錠を取り外した状態の取付孔から、特殊工具ではなくドライバ等の一般工具を挿入することで、操作体を容易に操作して係止体を係止解除状態に変位させることができ、ロック解除を簡単に行うことが可能になる。
【図面の簡単な説明】
【図１】この発明の一実施形態におけるスロットマシンの正面図である。
【図２】この発明の一実施形態におけるスロットマシンの側面図である。
【図３】この発明の一実施形態における一部の分解斜視図である。
【図４】図３の組立状態における一部の斜視図である。
【図５】この発明の一実施形態の動作説明図である。
【符号の説明】
１　　　スロットマシン（遊技機）
３　　　筐体
５　　　前面パネル
４３　　作動体
４７　　シリンダ錠
４９　　コイルバネ（付勢手段）
５１　　係止体
５９　　取付孔
６３　　キー
６５　　カム（回転体）
９１　　操作体
【図１】
2004121512.tif 000003
【図２】
2004121512.tif 000004
【図３】
2004121512.tif 000005
【図４】
2004121512.tif 000006
【図５】
2004121512.tif 000007